(57)【要約】【課題】皮膚当接電極体及び半導体が、ケース状（箱状）の外装体に収納されるタイプであるため、嵩張ってしまい、携行に不便であり、また、コストが高い。【解決する手段】身体の腰や臀部等の必要部位に当てられる基体１と、該基体１に保持される経路刺激体２とで構成せしめる。基体１は、木材、合成樹脂材等の適宜素材からなり、表面側に渦巻き状の取付溝が凹設されている。この取付溝は、左巻きになっており、経路刺激体２が同基体１の表面から膨出して身体に触れるような深さに調整されている。経路刺激体２は、同該経路刺激体２を被装するチューブ状の外装部材と、該外装部材の両端に装着された装飾部材２ｂとを備えている。経路刺激体２は、銅線と銀線とを互いに縒り合わせたもの（又は螺旋状に巻回したもの）を用いる。【選択図】  図１
2005066278.tif 000002
【特許請求の範囲】
【請求項１】
少なくとも銅、銀を有する経路刺激体若しくは銅線と銀線とで紐、帯状に縒り合わせ或いは網状に編成してなる経路刺激体を身体の必要部位に当て若しくは敷き置くことにより、神経細胞の異常電位を正常に調整し、その神経が支配する内臓や組織の機能を回復せしめ、自然治癒力を高めることを特徴とする神経細胞の異常電位調整方法。
【請求項２】
身体の必要部位に当てられる基体と、該基体に設けられた経路刺激体とを備え、該経路刺激体は、少なくとも一部が前記基体の表面に膨出すべく保持されていることを特徴とする神経細胞の異常電位調整具。
【請求項３】
前記経路刺激体は、シリコン若しくは軟性の合成樹脂材で成形してなる中空状の外装部材と、該外装部材内に挿着される銅線と銀線とで紐、帯状に縒り合わせた経路刺激線材若しくは網状に編成された経路刺激線材とを備えて前記基体に渦巻き状に保持されていることを特徴とする請求項２に記載の異常電位調整具。
【請求項４】
前記基体は、経路刺激体を左巻きに保持するための取付溝を備えたことを特徴とする請求項２に記載の異常電位調整具。
【発明の詳細な説明】
【技術分野】
【０００１】  本発明は主として足からくる経路神経や骨盤神経（仙骨神経）に刺激を与えて自然治癒力を高めることができる神経細胞の異常電位調整具の改良に関し、更に詳しくは、嵩張ることがなく、また、臀部や足の裏に敷くだけで、骨盤神経や足からくる経路神経を刺激し、更には、中枢神経にも刺激を与え、脳にリラックスをもたらし、全身の血行、ホルモンの分泌を良好にし、延いては、自律神経を安定せしめ、安眠にも役立つことができる低廉で有用な神経細胞の異常電位調整方法とその異常電位調整具に関する。
【背景技術】
【０００２】  一般的に、人間の生存活動は、生理医学的に診ると、体内の神経細胞による情報伝達により行われており、その伝達の仕組みは電気信号によってなされている。従って、その伝達の過程において異常が起きた時には種々の病気が発生し、更には体内に何か異常が起きた時は異常信号として伝達されることが電子細胞医学においても知られている。【０００３】  また、電子細胞医学の常套法として、人体の皮膚の経穴経路、痛み等の部位に、シリコン等の半導体や皮膚当接電極体（以下、単に経路刺激体という）を当接して、自律神経等の調整を図ることが行われている。【０００４】  従来、斯かる経路刺激体は、電気治療機器から発せられる電流を人体に対して通電させる皮膚当接電極体を備えており、該皮膚当接電極体に半導体を介して前記電流を人体に対して通電させるように構成されている。
【特許文献】特開昭５４−１５８０８８号公報
【発明の開示】
【発明が解決しようとする課題】
【０００５】  しかしながら、上述した従来の経路刺激体にあっては、皮膚当接電極体及び半導体が、ケース状（箱状）の外装体に収納されるタイプであるため、嵩張ってしまい、携行に不便であり、また、コストが高いといった課題があり、低廉で需用者に供給できるものが要望されている。【０００６】  本発明は斯かる問題点及び要望に鑑みてなされたもので、嵩張ることがなく、また、臀部や足の裏に敷くだけで、骨盤神経や足からくる経路神経を刺激し、更には、中枢神経にも刺激を与え、脳にリラックスをもたらし、全身の血行、ホルモンの分泌を良好にし、延いては、自律神経を安定せしめ、安眠に役立ち、自然治癒力をも高めることができる低廉な経路刺激体を使用した神経細胞の異常電位調整方法及びその異常電位調整具を提供することを目的とする。
【課題を解決するための手段】
【０００７】  上述の如き従来の問題点を解決し、所期の目的を達成するため本発明の要旨とする構成は、少なくとも銅、銀を有する経路刺激体若しくは銅線と銀線とで紐、帯状に縒り合わせ或いは網状に編成してなる経路刺激体を身体の必要部位に当てたり若しくは敷き置くことにより、神経細胞の異常電位を正常に調整し、その神経が支配する内臓や組織の機能を回復せしめて自然治癒力を高めることを特徴とする神経細胞の異常電位調整方法に存する。【０００８】  また、この異常電位調整方法を実施するための本発明による異常電位調整具は、身体の必要部位（足、腰、臀部、臍の下等）に当てられる基体と、該基体に設けられた経路刺激体とを備え、前記経路刺激体は、少なくとも一部が基体の表面に膨出すべく保持されていることを特徴としている。【０００９】  更に、前記経路刺激体は、シリコン若しくは軟性の合成樹脂材で成形してなる中空状の外装部材と、該外装部材内に挿着される銅線と銀線とで紐、帯状に縒り合わせた経路刺激線材若しくは網状に編成された経路刺激線材とを備えて前記基体に渦巻き状に保持されるのが良い。
【発明の効果】
【００１０】  本発明は、少なくとも銅、銀を有する経路刺激体若しくは銅線と銀線とで紐、帯状に縒り合わせ或いは網状に編成してなる経路刺激体を身体の必要部位に当てたり若しくは敷き置くことによって、経路刺激体が骨盤神経や足からくる経路神経を刺激し、更には、中枢神経、脊髄にも刺激を与え、脳にリラックスをもたらし、全身の血行、ホルモンの分泌を良好にし、延いては、自律神経を安定せしめ、安眠に役立ち、自然治癒力をも高めることができるなどの優れた効果を奏するものである。【００１１】  また、経路刺激体が、シリコン若しくは軟性の合成樹脂材で成形してなる中空状の外装部材と、該外装部材内に挿着される銅線と銀線とで紐、帯状に縒り合わせた経路刺激線材若しくは網状に編成された経路刺激線材とを備えて前記基体に渦巻き状に保持されることによって、丈夫で、かつ、誰にでも簡単に変形できる他、基体から取り外して変幻自在に手首や足首に巻き止めることもできるなどの効果を奏するものであり、また、その際、締付感がなく身体に優しくフィットできる。【００１２】  このように本発明の神経細胞の異常電位調整方法及びその異常電位調整具は、嵩張ることなく、簡単かつ気軽に持ち運べるなど、携行に便利であり、座骨神経、自律神経、末梢神経の調整、刺激を図ることで、これらの神経が支配する内臓や組織に良い変化をもたらし、臓器の健康回復、肩凝りや痛みを軽減、治癒することができるなど、自然治癒力を高めることができるものであり、また、構成が単純であるため大量生産に適し、価格も低廉なものとして需要者に供給できるなど、本発明を実施することはその実益的価値が甚だ大である。
【発明を実施するための最良の形態】
【００１３】  身体の必要部位に当てられる基体と、該基体に設けられた経路刺激体とからなること、延いては、前記経路刺激体の少なくとも一部が基体の表面に膨出すべく渦巻き状（好ましくは左巻き状態）に保持せしめることによって、基体を臀部や臍の下或いは足の裏に敷くだけで、経路刺激体が皮膚の経穴経路の外輪に刺激を与えると共に、経路部位を通じて座骨神経細胞、自律神経細胞、末梢神経細胞の異常電位を正常に調整するため、これらの神経が支配する内臓や組織に良い変化をもたらし、また、血液が活性化されてその循環や、ホルモンの分泌をも良好になし得ることとなる。【００１４】  次に、本発明に係る神経細胞の異常電位調整方法について簡単に説明する。まず、少なくとも銅線と銀線とで紐、帯状に縒り合わせ或いは網状に編成せしめて経路刺激線体を形成する。斯かる経路刺激体の素材としては、低廉な銅、銀が好ましいが、金、錫等の金属材若しくはセラミック、マグネット、鉱物又はこれらの全て又は何れかを選択又は組み合わせたものを使用できることは云うまでもない。【００１５】  また、斯かる経路刺激体を身体に当接する場合は、チューブ状の外装部材を被装して使用するのが好ましい。斯かる外装部材としては、経路刺激体を渦巻き状に保形させる関係から、例えば、肌に易しいシリコン、屈曲自在なゴム、ポリエチレン、ポリプロピレン、不織布、紙材等の軟性材が挙げられる。【００１６】  次いで、経路刺激線体を身体の必要部位に当てたり、敷き置いて使用する。経路刺激体を必要部位に当てる場合としては、例えば、後述する基体を介して足、臀部、臍の下などに当てたり、直接、経路刺激体を「輪」を作るように軽く捻り止めて手首や足首に装着させても良い。【００１７】  また、経路刺激体を敷き置く場合としては、同様に基体を介して椅子や床等の上に載置する場合と、左巻きにした状態で、直接的に椅子や床等の上に載置する場合が挙げられる。尚、左捲きは拡散のエネルギーで力が抜け（筋肉がほぐせ）リラックスでき、右捲きは収縮のエネルギーで力が入り、人体、筋肉のパワーアップになる。【００１８】  よって、斯かる経路刺激体の使用形態としては、直線状にして使用するよりも渦巻き状、就中、左巻き状態にして使用するのが好ましい。また、痛みの伝達システムでは、人体に痛みが発生する際、痛みの活動電位が生じ、それが痛みのインプルスとして痛みの中枢神経へと伝達されることが解明されているが、その異常な電気信号や伝達が、経路刺激体を構成する銀、銅の原子から放出される金属イオン（銀イオン、銅イオン）の電子特性が皮膚から体内に導入されて神経細胞の異常電位を正常に調整するため、その神経が支配する内臓や組織に良い変化をもたらし、痛みを軽減、治癒せしめるのである。【００１９】  例えば、経路刺激体を臀部の下に敷くだけで、経路刺激体が皮膚の経穴経路の外輪に刺激を与えると共に、経路部位を通じて骨盤神経（仙骨神経）を刺激し、腎臓、膀胱、生殖器、大腸、特に直腸や痔に効果を与える他、中枢神経にも刺激を与え、脳にリラックスをもたらし、全身の血行やホルモンの分泌を良好にし、延いては、自律神経が安定し、安眠に役立ち、自然治癒力を高めることができる。
【実施例１】
【００２０】  次に、本発明に係る異常電位調整具の実施の一例を図面を参照しながら説明する。図中Ａは、本発明に係る異常電位調整具であり、この異常電位調整具Ａは、身体の腰や臀部等の必要部位に当てられる基体１と、該基体１に屈曲、かつ、着脱自在に保持される経路刺激体２とから構成されている。【００２１】  基体１は、木材、合成樹脂材等の適宜素材からなり、表面側に渦巻き状の取付溝１ａが凹設されている。この渦巻き状の取付溝１は、左巻きになっており、経路刺激体２が同基体１の表面から膨出して身体に触れるような深さに調整されている。【００２２】  一方、経路刺激体２は、同刺激体２を被装するチューブ状の外装部材２ａと、該外装部材２ａの両端に装着された装飾部材２ｂとを備えている（図４参照）。【００２３】  経路刺激体２は、銅、銀、金、錫等の金属材若しくはセラミック、マグネット、鉱物又はこれらの全て又は何れかを選択又は組み合わせたものを使用するものであるが、特には、図４（２）に示すように、銅線２ｃと銀線２ｄとを互いに縒り合わせたもの（又は螺旋状に巻回したもの）を用いるのが良い。【００２４】  また、外装部材２ａは、例えば、経路刺激体２の表面を被装すべく形成されたシリコン、ゴム、ポリエチレン、ポリプロピレン、不織布、紙材等の軟性材からなり、好ましくはシリコンで成形された軟性チューブを使用するのが良い。【００２５】  装飾部材２ｂは、例えば、水晶、真珠、トルマリン、磁性体、ガラス、合成樹脂材等の適宜素材にて球体（玉）に成形してなり、経路刺激体２の両端に取り付けることにより外装部材２ａの抜け止めをしている。【００２６】  このように構成される本発明の異常電位調整具Ａは、臀部の下に敷くだけで、経路刺激体２が皮膚の経穴経路の外輪に刺激を与えると共に、経路部位を通じて骨盤神経（仙骨神経）を刺激し、腎臓、膀胱、生殖器、大腸、特に直腸や痔に良好な効果を与える他、中枢神経にも刺激を与え、脳にリラックスをもたらし、全身の血行、ホルモンの分泌を良好にし、延いては、自律神経が安定し、安眠に役立ち、自然治癒力をも高めることができるなどの優れた治療結果が認められた。【００２７】  特に、大腸への刺激回復は、気管支、肺、鼻、視床下部へと影響を与えるため、異常電位調整具Ａを臍下３ｃｍのところから左右両方３ｃｍの部位に当てるのが良い。右側は上行結腸を刺激し、左側は下行結腸を刺激し、便秘、下痢に効果がある。【００２８】  また、小腸への刺激回復は、腎臓、膀胱、心臓、舌、海馬に影響をするため、異常電位調整具Ａを臍下５ｃｍの部位に当てるのが良い。しかも、胸部の肋骨下の中心部位は、右側が肝臓、胆嚢、左側が脾臓、膵臓を刺激することで、同臓器の回復に役立つものであり、その他、刺激する部位は図５に示すとおりである。【００２９】  更に、異常電位調整具Ａを足の裏に置けば、足からくる経路神経が、腎臓、膵臓、胃、胆嚢、膀胱に刺激を与え、特に、第二の心臓と言われる足の裏に刺激を与えることは血液の循環を高め、自然治癒力（免疫力）を高めることができる。【００３０】  また、本発明の異常電位調整具Ａに渦巻き状に保持されている経路刺激体２を取り外せば、手首や足首に巻いて両遊端側を捻るだけで簡単に装��できるものであり、時間の経過と共に、経路刺激体２を構成する銅線２ｃと銀線２ｄのイオン（電子特性）が皮膚の経穴経路の外輪に刺激を与えるため、経路部位を通じて自律神経細胞や末梢神経細胞の異常電位を正常に調整し、血液の活性化及び循環、ホルモンの分泌を良好になし、自然治癒力をも高めることができるため、滋養、強壮、病前、病後の健康・機能回復にも頗る良いなどの治療効果が認められた。【００３１】  特に、手首に「輪」を作るように軽く巻き止めるだけで、心臓、心包、肺、大腸、三隹、小腸等に刺激を与え、機能回復に役立つと共に、痛みや肩凝りなどが解消する。【００３２】  また、足首に同様に巻き止めるだけで、腎臓、脾臓、肝臓、胃、胆嚢、膀胱等に刺激を与え、機能回復に役立つと共に、手首同様に、痛みや肩凝りなども解消する。【００３３】  而して、痛みの伝達システムは、人体に痛みが発生する際、痛みの活動電位が生じ、それが痛みのインプルスとして痛みの中枢神経へと伝達されることが解明されているが、本発明の異常電位調整具を装着することにより、痛みが軽減、治癒するのは、その異常な電気信号や伝達が、銀、銅の原子から放出される金属イオン（銀イオン、銅イオン）の電子特性が皮膚から体内に導入されて神経細胞の異常電位を正常に調整し、その神経が支配する内臓や組織に良い変化をもたらすからである。【００３４】  また、肩凝りは、末梢神経の刺激により乳酸が発生し、筋肉が緊張を起こすことに起因して血液の循環が悪くなることが原因といわれているが、本発明の異常電位調整具Ａを装着することにより、電気刺激（銀イオン、銅イオンの電子特性）により末梢神経に刺激を与え、乳酸が分解されると共に、血液の活性化及び循環を良好になすことにより、本発明の異常電位調整具Ａを使用した人の１０人中８人の高割有りで肩凝りを解消することがた。【００３５】  因に、装着時間としては、個人差はあるものの、男性は１５〜２０分程度、女性は１０〜１５分程度が良く、使用回数においては、二週間は毎日とし、次の二週間は隔日とし、一ヶ月後から週二回程度の使用が自然治癒力を高めるのに好ましい。【００３６】  また、経路刺激体２を単独で使用する場合、手首では、約１０〜１５分程、足首では１５〜２０分程度が好ましい。尚、神経反射は各自違うため、ユーザーが自分で使用時間を調整することが大事であり、統計的には週２回程度の使用でも良好な効果が得られる。【００３７】  尚、本発明はこれら実施例に限定されることなく、本発明の目的の範囲内で自由に設計変更し得るものであり、本発明はそれらの全てを包摂するものである。例えば、本実施例では、基体１に、木材、合成樹脂材を使用しているが、これに限定されることなく、クッションや座布団等の如き床敷物を素材として用いても良く、更には、椅子等の座席に直接的に取り付けても良い。【００３８】  また、異常電位調整具Ａに渦巻き状に保持されている経路刺激体２を取り外して、下着を付けたまま臍の上に左捲きにして置くことにより、小腸が刺激され、栄養を体内に吸収し、免疫力を高めることができる。【００３９】  更に、経路刺激体２を椅子の上に左捲きにして置いても良く、その上に腰掛ければ、骨盤神経に刺激を与え、大腸、腎臓��膀胱、子宮、気管支、脳等々が刺激され、それぞれの機能回復に役立つものである。【００４０】  因に、本実施例で示した基体１及び経路刺激体２の大きさや形などは、あくまでも本発明の一実施例を示すものであり、就中、装飾部材２ｂは、本発明にとって必須構成要件ではないが、本実施例で示した球体の色、形、大きさ等に限定されることなく、基体１、経路刺激体２、外装部材２ａ等と同様、ＴＰＯ等に合わせて様々な形態に成形されることはいうまでもない。
【図面の簡単な説明】
【００４１】
【図１】本発明に係る異常電位調整具を示す平面図である。
【図２】同異常電位調整具を示す側面図である。
【図３】同異常電位調整具の縦断面図である。
【図４】図４（１）は本実施例で使用する経路刺激体の全体を示す説明図、図４（２）は同経路刺激体の組立分解図である。
【図５】同異常電位調整具の身体への取付部位を示す説明図である。
【符号の説明】
【００４２】  １  基体
１ａ  取付溝
２  経路刺激体
２ａ  外装部材
２ｂ  装飾部材
２ｃ  銅線
２ｄ  銀線
【図１】
2005066278.tif 000003
【図２】
2005066278.tif 000004
【図３】
2005066278.tif 000005
【図４】
2005066278.tif 000006
【図５】
2005066278.tif 000007